(57)【要約】【課題】低泡性であり、低温洗浄においても油汚れに対する洗浄力に優れる食器洗い機用洗浄剤の提供。【解決手段】Ｒ１１−ＣＨ（ＳＯ３Ｍ）−ＣＯＯＲ１２［Ｒ１１は炭素数１４〜１６のアルキル基、Ｒ１２は炭素数１〜２のアルキル基、Ｍは対イオン］で表されるα−スルホ脂肪酸アルキルエステル塩（ａ１）を含有するアニオン界面活性剤（Ａ）、および下式（ＩＩ）［Ｒ１は炭素数１３〜２１のアルキル基又はアルケニル基、Ｒ２は水素原子、炭素数１〜４のアルキル基又は炭素数１〜４のヒドロキシアルキル基、Ｒ３は炭素数１〜４のアルキレン基、Ｒ４及びＲ５はそれぞれ水素原子又は炭素数１〜４のアルキル基］で表される化合物を含有し（Ｂ）成分／（Ａ）成分で表される質量比が０．１〜１０である、食器洗い機用洗浄剤。［化１]2018184554.tif 000012【選択図】なし【特許請求の範囲】
【請求項１】
（Ａ）成分：下記一般式（Ｉ）で表されるα−スルホ脂肪酸アルキルエステル塩（ａ１）を含有するアニオン界面活性剤、および
（Ｂ）成分：一般式（ＩＩ）で表される化合物、を含有し、
（Ｂ）成分／（Ａ）成分で表される質量比が０．１〜１０である、食器洗い機用洗浄剤。
Ｒ１１−ＣＨ（ＳＯ３Ｍ）−ＣＯＯＲ１２  ・・・（Ｉ）
［式（Ｉ）中、Ｒ１１は炭素数１４〜１６のアルキル基であり、Ｒ１２は炭素数１〜２のアルキル基であり、Ｍは対イオンである。］
【化１】
2018184554.tif 000011
［式（ＩＩ）中、Ｒ１は、炭素数１３〜２１の直鎖状もしくは分岐鎖状のアルキル基又はアルケニル基を表す。Ｒ２は、水素原子、炭素数１〜４のアルキル基又は炭素数１〜４のヒドロキシアルキル基を表す。Ｒ３は、炭素数１〜４のアルキレン基を表す。Ｒ４及びＲ５は、それぞれ水素原子又は炭素数１〜４のアルキル基を表し、互いに同一でも異なっていてもよい。］
【請求項２】
前記（Ｂ）成分が、一般式（ＩＩ）で表され、Ｒ１が炭素数１３〜２１の直鎖状のアルキル基、Ｒ２が水素原子または炭素数１〜４のアルキル基、Ｒ３が炭素数１〜４のアルキレン基、Ｒ４及びＲ５が炭素数１〜４のアルキル基である化合物からなる群から選ばれる１種以上である、請求項１に記載の食器洗い機用洗浄剤。
【請求項３】
前記（ａ１）成分が、前記一般式（Ｉ）におけるＲ１１の炭素数が１４である化合物（ａ１−Ｃ１６）と、前記一般式（Ｉ）におけるＲ１１の炭素数が１６である化合物（ａ１−Ｃ１８）とを含み、（ａ１−Ｃ１６）：（ａ１−Ｃ１８）の質量比が３０：７０〜９０：１０である、請求項１または２に記載の食器洗い機用洗浄剤。
【請求項４】
前記（Ａ）成分、前記（Ｂ）成分、および溶媒を含有し、
前記（Ａ）成分の含有量が０．１〜５質量％であり、
さらに分岐状のアルキル基を有するアルキルポリグリコシド（Ｃ）、および芳香族スルホン酸またはその塩（Ｄ）の一方または両方を含有する、請求項１〜３のいずれか一項に記載の食器洗い機用洗浄剤。
【請求項５】
［（Ｃ）成分＋（Ｄ）成分］／（Ａ）成分で表される質量比が２〜３０である、請求項４に記載の食器洗い機用洗浄剤。
【請求項６】
前記（Ｃ）成分および（Ｄ）成分を含み、（Ｃ）成分／（Ｄ）成分で表わされる質量比が０．０３〜２９である、請求項４または５に記載の食器洗い機用洗浄剤。
【請求項７】
前記（Ｃ）成分が２エチルヘキシルポリグリコシドであり、前記（Ｄ）成分がクメンスルホン酸塩である、請求項４〜６のいずれか一項に記載の食器洗い機用洗浄剤。
【発明の詳細な説明】
【技術分野】
【０００１】
本発明は、食器洗い機用洗浄剤に関する。
【背景技術】
【０００２】
食器洗い機による洗浄には、一般に、専用の洗浄剤（食器洗い機用洗浄剤）が用いられる。食器洗い機用洗浄剤は、泡立ちが多いと、食器洗い機の運転中に泡が溢れ出るオーバーフロー現象や、循環する水の中に泡が絡むことにより充分な噴射力が得られないエア噛み現象等が生じるおそれがあるため、低泡性（泡立ちが少ない）であることが求められる。
【０００３】
食器洗い機にあっては、省エネなどの観点から、従来よりも洗浄温度が低い機種が普及してきている。例えば、５５〜６５℃程度の温水が循環する標準コース（通常モード）のほかに、これよりも水温が１０℃程度低い温水が循環する「低温コース」等の節電モードを備えた機種が上市されている。洗浄温度が低いと洗浄力は低下する傾向にあり、特に油汚れが残りやすく、油汚れに対する洗浄力が不充分となりやすい。
【０００４】
特許文献１の実施例には、低泡性で、節電モード（洗浄液４０℃）に対応できる食器洗い機用洗浄剤として、第２級アルカンスルホン酸ナトリウム、直鎖アルキルベンゼンスルホン酸塩、またはＣ１２、１３ポリオキシエチレンアルキルエーテル硫酸塩と、特定のアルキルアミドアミンを含む組成物が記載されている。
【先行技術文献】
【特許文献】
【０００５】
【特許文献１】特開２０１５−０１０１８６号公報
【発明の概要】
【発明が解決しようとする課題】
【０００６】
しかし、近年は、洗浄温度のさらなる低温化が求められている。また食器洗い機内に持ち込まれる汚れの量も増加する傾向にあるため、従来の食器洗い機用洗浄剤の性能では必ずしも充分とは言えない。
具体的に、従来は、食器を食器洗い機で洗浄する前に、食器に付着した食材や汚れをある程度落とす予備洗いが行われていたが、最近はこの予備洗いを行わない傾向が顕著であり、食器洗い機内に持ち込まれる汚れの量が増加している。汚れの量が増加すると再汚染が生じ易い。特にポリプロピレン製食器など、表面が疎水性の食器の洗浄においては、油による再汚染が生じやすい。その結果、洗浄後の食器に油汚れが付着した状態となり、油汚れに対する洗浄力が不充分となる。
本発明は、低泡性であり、低温洗浄においても油汚れに対する洗浄力に優れる食器洗い機用洗浄剤の提供を目的とする。
【課題を解決するための手段】
【０００７】
本発明は以下の態様を有する。
［１］  （Ａ）成分：下記一般式（Ｉ）で表されるα−スルホ脂肪酸アルキルエステル塩（ａ１）を含有するアニオン界面活性剤、および
（Ｂ）成分：一般式（ＩＩ）で表される化合物、を含有し、
（Ｂ）成分／（Ａ）成分で表される質量比が０．１〜１０である、食器洗い機用洗浄剤。
Ｒ１１−ＣＨ（ＳＯ３Ｍ）−ＣＯＯＲ１２  ・・・（Ｉ）
［式（Ｉ）中、Ｒ１１は炭素数１４〜１６のアルキル基であり、Ｒ１２は炭素数１〜２のアルキル基であり、Ｍは対イオンである。］
【０００８】
【化１】
2018184554.tif 000002
【０００９】
［式（ＩＩ）中、Ｒ１は、炭素数１３〜２１の直鎖状もしくは分岐鎖状のアルキル基又はアルケニル基を表す。Ｒ２は、水素原子、炭素数１〜４のアルキル基又は炭素数１〜４のヒドロキシアルキル基を表す。Ｒ３は、炭素数１〜４のアルキレン基を表す。Ｒ４及びＲ５は、それぞれ水素原子又は炭素数１〜４のアルキル基を表し、互いに同一でも異なっていてもよい。］
［２］  前記（Ｂ）成分が、一般式（ＩＩ）で表され、Ｒ１が炭素数１３〜２１の直鎖状のアルキル基、Ｒ２が水素原子または炭素数１〜４のアルキル基、Ｒ３が炭素数１〜４のアルキレン基、Ｒ４及びＲ５が炭素数１〜４のアルキル基である化合物からなる群から選ばれる１種以上である、［１］の食器洗い機用洗浄剤。
［３］  前記（ａ１）成分が、前記一般式（Ｉ）におけるＲ１１の炭素数が１４である化合物（ａ１−Ｃ１６）と、前記一般式（Ｉ）におけるＲ１１の炭素数が１６である化合物（ａ１−Ｃ１８）とを含み、（ａ１−Ｃ１６）：（ａ１−Ｃ１８）の質量比が３０：７０〜９０：１０である、［１］または［２］の食器洗い機用洗浄剤。
【００１０】
［４］  前記（Ａ）成分、前記（Ｂ）成分、および溶媒を含有し、
前記（Ａ）成分の含有量が０．１〜５質量％であり、
さらに分岐状のアルキル基を有するアルキルポリグリコシド（Ｃ）、および芳香族スルホン酸またはその塩（Ｄ）の一方または両方を含有する、［１］〜［３］のいずれかの食器洗い機用洗浄剤。
［５］  ［（Ｃ）成分＋（Ｄ）成分］／（Ａ）成分で表される質量比が２〜３０である、［４］の食器洗い機用洗浄剤。
［６］  前記（Ｃ）成分および（Ｄ）成分を含み、（Ｃ）成分／（Ｄ）成分で表わされる質量比が０．０３〜２９である、［４］または［５］の食器洗い機用洗浄剤。
［７］  前記（Ｃ）成分が２エチルヘキシルポリグリコシドであり、前記（Ｄ）成分がクメンスルホン酸塩である、［１］〜［６］のいずれかの食器洗い機用洗浄剤。
【００１１】
［８］  前記（Ａ）成分、前記（Ｂ）成分、前記（Ｃ）成分、前記（Ｄ）成分、および前記溶媒を含有し、
前記（Ａ）成分が、前記一般式（Ｉ）で表されるα−スルホ脂肪酸アルキルエステル塩（ａ１）であり、
前記（Ｃ）成分が２エチルヘキシルポリグリコシドであり、前記（Ｄ）成分がクメンスルホン酸塩であり、
前記（Ａ）成分の含有量が０．２〜１．２質量％であり、
前記（Ｂ）成分／（Ａ）成分で表される質量比が０．３〜３．０であり、
前記［（Ｃ）成分＋（Ｄ）成分］／（Ａ）成分で表される質量比が５．０〜１５．０であり、
前記（Ｃ）成分／（Ｄ）成分で表わされる質量比が０．５〜１．０である、［１］〜［７］のいずれかの食器洗い機用洗浄剤。
【発明の効果】
【００１２】
本発明の食器洗い機用洗浄剤は、低泡性であり、低温洗浄においても油汚れに対する洗浄力に優れる。
【発明を実施するための形態】
【００１３】
本発明の食器洗い機用洗浄剤（以下、単に洗浄剤ということがある）は、（Ａ）成分および（Ｂ）成分を含有する組成物である。粉末であってもよく、溶媒を含む液体であってもよい。液体である場合は、さらに（Ｃ）成分および（Ｄ）成分の一方または両方を含有することが好ましく、（Ｃ）成分と（Ｄ）成分の両方を含有することがより好ましい。
【００１４】
＜（Ａ）成分＞
（Ａ）成分はアニオン界面活性剤であり、（ａ１）成分を含有する。（ａ１）成分と、（ａ１）成分以外のアニオン界面活性剤（以下、（ａ２）成分という。）を併用してもよい。
［（ａ１）成分］
（ａ１）成分は、下記一般式（Ｉ）で表されるα−スルホ脂肪酸アルキルエステル塩（α−ＳＦ塩）である。（ａ１）成分は１種でもよく、２種以上を併用してもよい。
洗浄剤が（ａ１）成分を含有することで、油汚れに対する優れた洗浄力が得られる。例えば、表面が疎水性の食器を低温コースで洗浄したときにも、油汚れに対する良好な洗浄力が得られる。
【００１５】
Ｒ１１−ＣＨ（ＳＯ３Ｍ）−ＣＯＯＲ１２  ・・・（Ｉ）
式（Ｉ）において、Ｒ１１は炭素数１４〜１６のアルキル基である。アルキル基は直鎖状であっても分岐鎖状であってもよい。Ｒ１１の炭素数が１４未満であっても、１６超であっても、油汚れに対する洗浄力が不充分となる。
（ａ１）成分を２種以上用いる場合、Ｒ１１の炭素数が互いに同じであってもよいし、異なってもよい。
【００１６】
式（Ｉ）において、Ｒ１２は炭素数１〜２のアルキル基である。Ｒ１１の炭素数が１〜２であると、油汚れに対する洗浄力に優れる。Ｒ１２はメチル基が好ましい。
（ａ１）成分を２種以上用いる場合、Ｒ１２の炭素数が互いに同じであってもよく、異なっていてもよい。
【００１７】
式（Ｉ）において、Ｍは対イオンである。Ｍは、（ａ１）成分が水溶性の塩を形成できるものであればよく、例えば、ナトリウムイオン、カリウムイオン等のアルカリ金属イオン、カルシウムイオン、マグネシウムイオン等のアルカリ土類金属イオン、アンモニウムイオン、プロトン化したエタノールアミン等が挙げられ、中でもアルカリ金属イオンが好ましく、ナトリウムイオンがより好ましい。
【００１８】
特に低温洗浄時の油汚れに対する洗浄力に優れる点で、（ａ１）成分が、式（Ｉ）におけるＲ１１の炭素数が１４である化合物（ａ１−Ｃ１６）と、式（Ｉ）におけるＲ１１の炭素数が１６である化合物（ａ１−Ｃ１８）とを含む混合物であることが好ましい。この場合、（ａ１−Ｃ１６）：（ａ１−Ｃ１８）の質量比は３０：７０〜９０：１０が好ましく、６０：４０〜９０：１０がより好ましい。
（ａ１−Ｃ１６）の例としてα−スルホパルミチン酸メチルエステル塩、α−スルホパルミチン酸エチルエステル塩が挙げられる。
（ａ１−Ｃ１８）の例としてα−スルホステアリン酸メチルエステル塩、α−スルホステアリン酸エチルエステル塩が挙げられる。
Ｒ１１の炭素数が異なる化合物の混合物として、α−スルホヤシ油脂肪酸メチルエステル塩、α−スルホヤシ油脂肪酸エチルエステル塩等が挙げられる。
中でも、α−スルホパルミチン酸メチルエステル塩、α−スルホステアリン酸メチルエステル塩の混合物が好ましい。
【００１９】
［（ａ２）成分］
（ａ２）成分は、（ａ１）成分以外のアニオン界面活性剤である。例えば、スルホン酸塩タイプ、硫酸エステル塩タイプ、カルボン酸塩タイプ、リン酸エステル塩タイプのアニオン界面活性剤が挙げられる。
スルホン酸塩タイプとしては、α−スルホ脂肪酸アルキルエステル塩、アルカンスルホン酸塩、アルキルベンゼンスルホン酸塩、アルキル硫酸塩、ポリオキシアルキレン硫酸塩、α−オレフィンスルホン酸塩、アルキルスルホコハク酸塩、ジアルキルスルホコハク酸塩等が挙げられる。
硫酸エステル塩タイプとしては、アルキル硫酸エステル塩、アルケニル硫酸エステル塩、ポリオキシアルキレンアルキルエーテル硫酸エステル塩、ポリオキシアルキレンアルケニルエーテル硫酸エステル塩等が挙げられる。
カルボン酸塩タイプとしては、アルキルエーテルカルボン酸塩、アミドエーテルカルボン酸塩、スルホコハク酸塩、アミノ酸系陰イオン界面活性剤等が挙げられる。
リン酸エステル塩タイプとしては、アルキルリン酸エステル塩、アルキルエーテルリン酸エステル塩等が挙げられる。
【００２０】
（ａ２）成分を構成する塩としては、ナトリウム塩、カリウム塩等のアルカリ金属塩；マグネシウム塩、カルシウム塩等のアルカリ土類金属塩；モノエタノールアミン塩（モノエタノールアンモニウム）、ジエタノールアミン塩（ジエタノールアンモニウム）、トリエタノールアミン塩（トリエタノールアンモニウム）等のアルカノールアミン塩；アンモニウム塩などが挙げられる。
【００２１】
（ａ２）成分は、炭素数８〜１８のアルキル基を有するもの、又は、炭素数８〜１８のアルケニル基を有するものが好ましく、なかでも炭素数８〜１８のアルキル基を有するものがより好ましい。該アルキル基又は該アルケニル基は、直鎖状であっても分岐鎖状であってもよい。
【００２２】
上記のなかでも、（ａ２）成分としては、油汚れに対する洗浄力が良好であり、低泡性を確保しやすいことから、スルホン酸塩タイプ、硫酸エステル塩タイプが好ましい。
その中でも、油汚れに対する洗浄力に優れる点で、α−スルホミリスチン酸メチルエステルナトリウム、α−スルホラウリン酸メチルエステルナトリウム、第２級アルカン（炭素数１４〜１７）スルホン酸ナトリウム、直鎖アルキル（炭素数１０〜１４）ベンゼンスルホン酸ナトリウム、α−オレフィン（炭素数１２〜１８）スルホン酸ナトリウム、ラウリル硫酸エステルナトリウム、ポリオキシエチレン（平均１〜３モル）、ポリオキシエチレン（１〜３モル）アルキル（炭素数１２〜１４）エーテル硫酸エステルナトリウム、α−スルホミリスチン酸メチルエステルナトリウム、α−スルホラウリン酸メチルエステルナトリウム、第２級アルカン（炭素数１４〜１７）スルホン酸ナトリウム、および直鎖アルキル（炭素数１０〜１４）ベンゼンスルホン酸ナトリウムからなる群より選ばれる１以上がより好ましい。
【００２３】
洗浄剤に対する（Ａ）成分の含有量は、洗浄力の点から０．１質量％以上であることが好ましく、低泡性の点から１０質量％以下であることが好ましい。
洗浄剤が液体である場合、洗浄剤に対する（Ａ）成分の含有量は、低温保存時の安定性の面から０．１〜５質量％がより好ましく、０．２〜３質量％がさらに好ましい。
（Ａ）成分に対する（ａ１）成分の含有量は、油汚れに対する洗浄力の点から５０質量％以上が好ましく、７０質量％以下がより好ましく、１００質量％が特に好ましい。
【００２４】
＜（Ｂ）成分＞
（Ｂ）成分は、一般式（ＩＩ）で表される化合物である。（Ｂ）成分は１種でもよく、２種以上を併用してもよい。
【００２５】
【化２】
2018184554.tif 000003
【００２６】
式（ＩＩ）において、Ｒ１は、炭素数１３〜２１の直鎖状もしくは分岐鎖状のアルキル基、又は、炭素数１３〜２１の直鎖状もしくは分岐鎖状のアルケニル基である。なかでも、Ｒ１は、炭素数１３〜２１の直鎖状もしくは分岐鎖状のアルキル基が好ましい。
Ｒ１におけるアルキル基及びアルケニル基の炭素数は、それぞれ１３〜２１であり、抑泡効果がより高まることから、好ましくは炭素数が１５〜２１であり、より好ましくは炭素数が１５〜１９である。
【００２７】
式（ＩＩ）において、Ｒ２は、水素原子、炭素数１〜４のアルキル基、又は、炭素数１〜４のヒドロキシアルキル基である。Ｒ２におけるヒドロキシアルキル基中のヒドロキシ基の数は、１つでも２つ以上でもよい。なかでも、Ｒ２としては、水素原子、炭素数１〜４のアルキル基が好ましく、水素原子、メチル基がより好ましく、水素原子が特に好ましい。
【００２８】
式（ＩＩ）において、Ｒ３は、炭素数１〜４のアルキレン基である。Ｒ３の炭素数は１〜３が好ましく、２又は３がより好ましく、３が特に好ましい。
式（ＩＩ）において、Ｒ４及びＲ５は、それぞれ水素原子又は炭素数１〜４のアルキル基である。Ｒ４とＲ５は、互いに同一でも異なっていてもよい。
Ｒ４及びＲ５におけるアルキル基の炭素数は、それぞれ１〜４であり、１〜３が好ましく、１又は２がより好ましく、１が特に好ましい。なかでも、Ｒ４及びＲ５は、それぞれ炭素数１〜４のアルキル基が好ましく、互いに同一であることが好ましい。
【００２９】
（Ｂ）成分として具体的には、
ミリスチン酸ジメチルアミノエチルアミド（Ｒ２＝水素原子、Ｒ３＝エチレン基、Ｒ４＝メチル基、Ｒ５＝メチル基）、
ミリスチン酸ジエチルアミノエチルアミド、
ミリスチン酸ジプロピルアミノエチルアミド、
ミリスチン酸ジメチルアミノプロピルアミド、
ミリスチン酸ジエチルアミノプロピルアミド、
ミリスチン酸ジプロピルアミノプロピルアミド、
パルミチン酸ジメチルアミノエチルアミド（Ｒ２＝水素原子、Ｒ３＝エチレン基、Ｒ４＝メチル基、Ｒ５＝メチル基）、
パルミチン酸ジエチルアミノエチルアミド、
パルミチン酸ジプロピルアミノエチルアミド、
パルミチン酸ジメチルアミノプロピルアミド、
パルミチン酸ジエチルアミノプロピルアミド、
パルミチン酸ジプロピルアミノプロピルアミド、
ステアリン酸ジメチルアミノエチルアミド（Ｒ２＝水素原子、Ｒ３＝エチレン基、Ｒ４＝メチル基、Ｒ５＝メチル基）、
ステアリン酸ジエチルアミノエチルアミド、
ステアリン酸ジプロピルアミノエチルアミド、
ステアリン酸ジメチルアミノプロピルアミド、
ステアリン酸ジエチルアミノプロピルアミド、
ステアリン酸ジプロピルアミノプロピルアミド、
ベヘン酸ジメチルアミノエチルアミド（Ｒ２＝水素原子、Ｒ３＝エチレン基、Ｒ４＝メチル基、Ｒ５＝メチル基）、
ベヘン酸ジエチルアミノエチルアミド、
ベヘン酸ジプロピルアミノエチルアミド、
ベヘン酸ジメチルアミノプロピルアミド、
ベヘン酸ジエチルアミノプロピルアミド、
ベヘン酸ジプロピルアミノプロピルアミド、
ミリスチン酸ジメチルアミノエチルメチルアミド（Ｒ２＝メチル基、Ｒ３＝エチレン基、Ｒ４＝メチル基、Ｒ５＝メチル基）、
パルミチン酸ジメチルアミノエチルメチルアミド、
ステアリン酸ジメチルアミノエチルメチルアミド、
ベヘン酸ジメチルアミノエチルメチルアミド、
ミリスチン酸ジメチルアミノプロピルメチルアミド（Ｒ２＝メチル基、Ｒ３＝プロピレン基、Ｒ４＝メチル基、Ｒ５＝メチル基）、
パルミチン酸ジメチルアミノプロピルメチルアミド、
ステアリン酸ジメチルアミノプロピルメチルアミド、
ベヘン酸ジメチルアミノプロピルメチルアミドが挙げられる。
【００３０】
（Ｂ）成分は、一般式（ＩＩ）で表され、Ｒ１が炭素数１３〜２１の直鎖状のアルキル基、Ｒ２が水素原子または炭素数１〜４のアルキル基、Ｒ３が炭素数１〜４のアルキレン基、Ｒ４及びＲ５が炭素数１〜４のアルキル基である化合物からなる群から選ばれる１種以上が好ましく、ミリスチン酸ジメチルアミノプロピルアミド、パルミチン酸ジメチルアミノプロピルアミド、ステアリン酸ジメチルアミノプロピルアミド、およびベヘン酸ジメチルアミノプロピルアミドからなる群から選ばれる１種以上がより好ましい。
【００３１】
洗浄剤に対する（Ｂ）成分の含有量は、低泡性の点から０．０１質量％以上であることが好ましく、低泡性と油汚れに対する洗浄力の点から１０質量％以下であることが好ましい。
洗浄剤が液体である場合、洗浄剤に対する（Ｂ）成分の含有量は、低温保存時の安定性の面から０．１〜５質量％がより好ましく、０．２〜３質量％がさらに好ましい。
【００３２】
本発明において「（Ｂ）成分／（Ａ）成分で表される質量比（以下、（Ｂ）／（Ａ）ともいう。）」とは、洗浄剤中の（Ａ）成分の含有質量に対する、（Ｂ）成分の含有質量の割合を表す。
（Ｂ）成分／（Ａ）成分で表される質量比は０．１〜１０であり、０．２〜５が好ましく、０．３〜３がより好ましい。
（Ｂ）成分／（Ａ）成分が上記範囲の下限値以上であると、（Ｂ）成分による抑泡効果が発揮されやすくなる。上記範囲の上限値以下であると、油汚れに対する洗浄力が高まる。
【００３３】
＜（Ｃ）成分＞
（Ｃ）成分は、分岐状のアルキル基を有するアルキルポリグリコシドである。（Ｃ）成分は、ノニオン界面活性剤の中でも特に、液体状の洗浄剤の低温安定性に寄与する。（Ｃ）成分は１種でもよく、２種以上を併用してもよい。
（Ｃ）成分としては、下記一般式（ＩＩＩ）で表される化合物が挙げられる。
Ｒ２１（ＯＲ２２）ｘＧｙ  …（ＩＩＩ）
式（ＩＩＩ）において、Ｒ２１は炭素数８〜１８の分岐鎖状のアルキル基であり、炭素数８〜１０の分岐鎖状のアルキル基が好ましい。
Ｒ２２は、炭素数２〜４のアルキレン基であり、Ｇは、還元糖に由来する残基である。
ｘは（ＯＲ２２）の平均繰り返し数であり、０〜５の数であり、０〜２の数が好ましく、０がより好ましい。
ｙは、糖の平均縮合度であり、１〜５の数であり、１〜３の数が好ましく、１〜２の数がより好ましく、１〜１．５の数がさらに好ましい。
【００３４】
Ｇとしては、単糖類、二糖類又は三糖類以上の還元糖に由来する残基が好ましい。
単糖類の還元糖としては、例えば、グルコース、ガラクトース、キシロース、マンノース、リキソース、アラビノース、フルクトース又はこれらの混合物等が挙げられる。
二糖類又は三糖類以上の還元糖としては、マルトース、キシロビオース、イソマルトース、セロビオース、ゲンチビオース、ラクトース、スクロース、ニゲロース、ツラノース、ラフィノース、ゲンチアノース又はこれらの混合物等が挙げられる。
これらのなかでも、Ｇとしては、グルコース、フルクトース、マルトース、およびスクロースに由来する残基からなる群から選ばれる１種以上が好ましく、グルコースに由来する残基がより好ましい。
（Ｃ）成分の市販品としては、例えばＬＧ  Ｈｏｕｓｅｈｏｌｄ  ＆  Ｈｅａｌｔｈ  Ｃａｒｅ社製  商品名：Ｍｉｌｃｏｓｉｄｅ  ４３５Ｎ、Ｓｅｐｐｉｃ社製  商品名：Ｓｉｍｕｌｓｏｌ  ＡＳ４８等が挙げられる。
【００３５】
＜（Ｄ）成分＞
（Ｄ）成分は芳香族スルホン酸またはその塩である。（Ｄ）成分は、液体状の洗浄剤の低温安定性に寄与する。（Ｄ）成分は１種でもよく、２種以上を併用してもよい。
（Ｄ）成分としては、各種の芳香族スルホン酸及び／又はその塩を用いることができる。例えば、トルエンスルホン酸、キシレンスルホン酸、クメンスルホン酸、置換もしくは非置換ナフタレンスルホン酸及び／又はその塩等が挙げられる。
塩としては、ナトリウム塩、カリウム塩、カルシウム塩、マグネシウム塩、アンモニウム塩及びアルカノールアミン塩等が挙げられる。
これらのうちでトルエンスルホン酸、キシレンスルホン酸、クメンスルホン酸及び／又はその塩が好ましく、低温安定性の点でクメンスルホン酸及び／又はその塩が特に好ましい。
【００３６】
洗浄剤が（Ｃ）成分および／または（Ｄ）成分を含む場合、［（Ｃ）成分＋（Ｄ）成分］／（Ａ）成分で表される質量比（以下、［（Ｃ）＋（Ｄ）］／（Ａ）ともいう。）が２〜４０であることが好ましく、５〜１５がより好ましく、６〜１２がさらに好ましい。この範囲であると、洗浄時の低泡性と低温での保存安定性が両立しやすい。
洗浄剤が（Ｃ）成分および（Ｄ）成分を含む場合、（Ｃ）成分／（Ｄ）成分で表わされる質量比（以下、（Ｃ）／（Ｄ）ともいう。）が０．０３〜２９であることが好ましく、０．０３〜１５がより好ましく、０．２〜５がさらに好ましく、０．５〜１が特に好ましい。この範囲であると、（Ｃ）成分と（Ｄ）成分との相乗効果により低温での保存安定性がより優れる。
【００３７】
洗浄剤に対する（Ｃ）成分の含有量は、０．０５〜１０質量％が好ましく、０．１〜３質量％がより好ましく、０．１〜１質量％がさらに好ましい。（Ｃ）成分の含有量が、上記範囲の下限値以上であると、低温安定性により優れ、上限値以下であると、低泡性に優れる。
洗浄剤に対する（Ｄ）成分の含有量は、０．１〜１０質量％が好ましく、０．２〜８質量％がより好ましく、１〜５質量％がさらに好ましい。（Ｄ）成分の含有量が、上記範囲の下限値以上であると、低温安定性が向上する。一方、含有量が上限値を越えてもそれ以上の低温安定性の向上が期待できない。また（Ｄ）成分の含有量が多すぎても低温安定性が低下する。
洗浄剤に対する、（Ｃ）成分と（Ｄ）成分の合計の含有量は、１〜１５質量％が好ましく、２〜５質量％がより好ましい。この範囲であると、低温での保存安定性と洗浄時の低泡性が両立し易い。
【００３８】
＜任意成分＞
本発明の洗浄剤は、本発明の効果を損なわない範囲で、（Ａ）〜（Ｄ）成分以外の任意成分を含んでもよい。任意成分は、食器を洗浄するための洗浄剤において公知の成分を含むことができる。
例えば、キレート剤、漂白剤、漂白活性化剤、アルカリビルダー、酵素（例えばアミラーゼ、プロテアーゼ）、植物抽出エキス、香料、吸油剤、消泡剤、食器保護剤、増粘剤、着色剤、防腐剤、工程剤等を用いることができる。
【００３９】
キレート剤は、ポリアクリル酸系の高分子キレート剤と有機酸系の低分子キレート剤に大別される。高分子キレート剤の具体例としては、ポリ（メタ）アクリル酸又はその塩、（メタ）アクリル酸−マレイン酸共重合体又はその塩、エチレン−マレイン酸共重合体又はその塩が挙げられるが、特にアクリル酸／マレイン酸共重合体が好ましく、共重合比（モル比）は７５／２５〜５０／５０で質量平均分子量が１万〜１０万であるものが好ましい。また、塩としてはナトリウム塩、カリウム塩などが挙げられる。また、用いる高分子ポリカルボン酸（塩）、１種以上を単独で又は併用することができる。
低分子キレート剤の具体例としてはエチレンジアミン四酢酸（ＥＤＴＡ）、ニトリロ三酢酸（ＮＴＡ）、β−アラニン二酢酸（ＥＤＥＴＡ）もしくはエチレンジアミン二コハク酸（ＥＤＤＳ）、Ｌ−アスパラギン酸−Ｎ，Ｎ−二酢酸（ＡＳＤＡ）、ジヒドロキシエチルエチレンジアミン二酢酸（ＤＨＥＤＤＡ）、ヒドロキシエチルイミノ二酢酸（ＨＩＭＤＡ）、クエン酸Ｎａ、クエン酸Ｋ、ヒドロキシエチルエチレンジアミン三酢酸（ＨＥＤＴＡ）、グリコールエーテルジアミン四酢酸（ＧＥＤＴＡ）、Ｌ−グルタミン酸二酢酸四ナトリウム（ＣＭＧＡ）、１，３−ジアミノー２−ヒドロキシプロパン四酢酸（ＤＰＴＡ）、ジエチレントリアミン五酢酸（ＤＴＰＡ）、トリエチレンテトラミン六酢酸（ＴＴＨＡ）、ジヒドロキシエチルグリシン（ＤＨＥＧ）、３−ヒドロキシ−２，２’−イミノジコハク酸４ナトリウム（ＨＩＤＳ）、セリン二酢酸（ＳＤＡ）、アスパラギン二酢酸  、メチルグリシン二酢酸（ＭＧＤＡ）、ヒドロキシエタンホスホン酸（ＨＥＤＰ）、アミノトリエメチレンホスホン酸（ＮＴＭＰ）、トリポリリン酸（ＳＴＰＰ）などが挙げられるが、くもり洗浄力、茶渋洗浄力を両立させる点から、エチレンジアミン四酢酸（ＥＤＴＡ）、ニトリロ三酢酸（ＮＴＡ）、β−アラニン二酢酸（ＥＤＥＴＡ）もしくはエチレンジアミン二コハク酸（ＥＤＤＳ）、Ｌ−アスパラギン酸−Ｎ，Ｎ−二酢酸（ＡＳＤＡ）、ジヒドロキシエチルエチレンジアミン二酢酸（ＤＨＥＤＤＡ）、ヒドロキシエチルイミノ二酢酸（ＨＩＭＤＡ）、クエン酸Ｎａ、ヒドロキシエチルエチレンジアミン三酢酸（ＨＥＤＴＡ）、グリコールエーテルジアミン四酢酸（ＧＥＤＴＡ）、Ｌ−グルタミン酸二酢酸四ナトリウム（ＣＭＧＡ）、１，３−ジアミノー２−ヒドロキシプロパン四酢酸（ＤＰＴＡ）、ジエチレントリアミン五酢酸（ＤＴＰＡ）、トリエチレンテトラミン六酢酸（ＴＴＨＡ）、ジヒドロキシエチルグリシン（ＤＨＥＧ）、３−ヒドロキシ−２，２’−イミノジコハク酸４ナトリウム（ＨＩＤＳ）、セリン二酢酸（ＳＤＡ）、アスパラギン二酢酸  、メチルグリシン二酢酸（ＭＧＤＡ）が好ましい。
また、より高い洗浄力を発揮させるものとして、クエン酸Ｎａ、クエン酸Ｋ、Ｌ−グルタミン酸二酢酸四ナトリウム（ＣＭＧＡ）、メチルグリシン二酢酸（ＭＧＤＡ）、ジエチレントリアミン五酢酸（ＤＴＰＡ）がより好ましい。
【００４０】
（洗浄剤の製造方法）
本発明の洗浄剤は、特に限定されず、従来公知の製造方法を用いることができる。
液体状の洗浄剤の製造方法としては、溶媒と、（Ａ）成分と、（Ｂ）成分と、（Ｃ）成分および／または（Ｄ）成分と、必要に応じて任意成分と、を混合することにより調製される。
【００４１】
前記溶媒としては、水が好ましく、水以外に水混和性有機溶媒を用いてもよい。
「水混和性有機溶媒」とは、２５℃のイオン交換水１Ｌに５０ｇ以上溶解する有機溶媒をいう。水混和性有機溶媒としては、水と混合した際に均一な溶液となるものであればよく、そのなかでも、炭素数２〜４の一価アルコール、炭素数２〜４の多価アルコール、グリコールエーテル等が挙げられる。
【００４２】
液体状の洗浄剤のｐＨ（２５℃）は、食器洗い機に対する腐食性の点から５以上が好ましく、低泡性の点から８以下が好ましく、より好ましくは６〜８である。
本発明において、食器洗い機用洗浄剤のｐＨ（２５℃）は、ＪＩＳ  Ｚ  ８８０２：１９８４「ｐＨ測定方法」に準拠した方法により測定される値を示す。
本発明の食器洗い機用洗浄剤のｐＨの調整には、例えば無機アルカリ剤、有機アルカリ剤、無機酸などの公知のｐＨ調整剤が用いられる。
洗浄剤が固体の場合は、使用温度の水溶液でのｐＨが５〜１１が好ましく、６〜１０がより好ましい。
【００４３】
（洗浄剤の使用方法）
本発明の洗浄剤は、食器洗い機の機種や、食器等の汚れの程度に応じて使用すればよい。
該洗浄剤を用いて食器洗い機により洗浄対象物を洗浄する方法としては、洗浄とすすぎの各工程をいずれも有する方法が挙げられる。
洗浄方法としては、たとえば、常温（好ましくは５〜３０℃程度）の水道水を食器洗い機庫内に導入して調製される洗浄液を、所定の洗浄温度（洗浄時に循環する洗浄液の温度）まで昇温しながら洗浄対象物を洗浄する工程（以下「洗浄工程」という。）と、洗浄後の洗浄対象物を、常温の水道水ですすぐ工程（以下「すすぎ（１）工程」という。）と、常温の水道水を、好ましくは７０〜７５℃まで２〜３℃／分で昇温しながら、前記すすぎ（１）工程後の洗浄対象物をさらにすすぐ工程（以下「すすぎ（２）工程」という。）を有する方法が挙げられる。洗浄工程での洗浄時間は、１０〜４０分間が好ましい。
一般的な標準コースの場合、洗浄工程における洗浄温度が５５〜６５℃程度、昇温速度が２〜３℃／分程度である。低温コースは、例えば、洗浄温度が３５〜４５℃程度、昇温速度が１℃／分程度である。本発明の洗浄剤は、低温洗浄においても油汚れに対する洗浄力に優れ、例えば、洗浄温度が３５℃であっても、優れた洗浄力を発揮する。
いずれのコースにおいても、洗浄剤の１回の使用量は、液体状の洗浄剤の場合、水道水約３リットルに対して３〜９ｇとすることが好ましい。
【実施例】
【００４４】
以下、実施例を示して本発明を詳細に説明するが、本発明は以下の記載によって限定されるものではない。
表１〜７に各例の洗浄剤の配合組成を示す。
表中の配合量の単位は「質量％」であり、いずれの成分も純分換算量を示す。
「適量」は、洗浄剤のｐＨが７．０となるように添加したｐＨ調整剤の添加量を示す。
「バランス」は、各例の洗浄剤に含まれる全配合成分の合計の配合量（質量％）が１００質量％となるように水が配合されていることを意味する。
以下に、表中に示した成分について説明する。
【００４５】
＜（Ａ）成分＞
［（ａ１）成分］
ａ１−１（α−ＳＦ塩）：α−スルホ脂肪酸メチルエステルナトリウム（（ａ１−Ｃ１６）：（ａ１−Ｃ１８）の質量比が８０：２０の混合物、純度９０％、ライオンエコケミカルズ社製、商品名：ＭＩＺＵＬＡＮ  ＦＬ−８０）。
ａ１−２（α−ＳＦ塩）：合成例１で得たα−スルホステアリン酸メチルエステルナトリウム。
ａ１−３（α−ＳＦ塩）：合成例２で得たα−スルホパルミチル酸メチルエステルナトリウム。
【００４６】
［（ａ２）成分：（ａ１）成分以外の（Ａ）成分］
ａ２−１（α−ＳＦ塩）：合成例３で得たα−スルホミリスチン酸メチルエステルナトリウム。
・ａ２−２（α−ＳＦ塩）：合成例４で得たα−スルホラウリン酸メチルエステルナトリウム。
・ａ２−３（ＳＡＳ）：第２級アルカン（炭素数１４〜１７）スルホン酸ナトリウム（クラリアントジャパン株式会社製、商品名：ＨＯＳＴＡＰＵＲ  ＳＡＳ  ３０Ａ）。
・ａ２−４（ＬＡＳ）：直鎖アルキル（炭素数１０〜１４）ベンゼンスルホン酸ナトリウム（直鎖アルキルベンゼンスルホン酸（テイカ株式会社製、商品名：テイカパワーＬ１２１）をＮａＯＨで中和したもの）。
・ａ２−５（ＡＥＳ）：ポリオキシエチレン（平均３モル）アルキル（炭素数１２〜１４）エーテル硫酸エステル塩（ライオン株式会社製、商品名：サンノールＬＭＴ−１４３０）。
・ａ２−６（ＡＯＳ）：α−オレフィン（炭素数１４）スルホン酸ナトリウム（ライオン株式会社製、商品名：リポランＬＪ−４４１）。
・ａ２−７（石鹸）：ラウリン酸ナトリウム（ラウリン酸（日油株式会社製、商品名：ＮＡＡ−１２２）を水酸化ナトリウムで中和したもの）。
【００４７】
＜（Ｂ）成分＞
Ｂ−１：合成例５で得たミリスチン酸ジメチルアミノプロピルアミド（一般式（ＩＩ）中のＲ１＝炭素数１３の直鎖状のアルキル基、Ｒ２＝水素原子、Ｒ３＝プロピレン基（（ＣＨ２）３）、Ｒ４＝メチル基、Ｒ５＝メチル基）。
Ｂ−２：Ｃ１８ジメチルアミノプロピルアミド（東邦化学株式会社製、商品名「カチナールＭＰＡＳ」）；一般式（ＩＩ）中のＲ１＝炭素数１５の直鎖状のアルキル基である分子（Ｃ１６（パルミチン酸ジメチルアミノプロピルアミド））と、Ｒ１＝炭素数１７の直鎖状のアルキル基である分子（Ｃ１８（ステアリン酸ジメチルアミノプロピルアミド））と、の質量比でＣ１６：Ｃ１８＝３：７の混合物。Ｒ２＝水素原子、Ｒ３＝プロピレン基（（ＣＨ２）３）、Ｒ４＝メチル基、Ｒ５＝メチル基。
Ｂ−３：合成例６で得たベヘン酸ジメチルアミノプロピルアミド（一般式（ＩＩ）中のＲ１＝炭素数２１の直鎖状のアルキル基、Ｒ２＝水素原子、Ｒ３＝プロピレン基（（ＣＨ２）３）、Ｒ４＝メチル基、Ｒ５＝メチル基。
【００４８】
＜（Ｃ）成分＞
Ｃ−１：２−エチルヘキシルグルコシド（ＬＧ  Ｈｏｕｓｅｈｏｌｄ  ＆  Ｈｅａｌｔｈ  Ｃａｒｅ社製、商品名：Ｍｉｌｃｏｓｉｄｅ  ４３５Ｎ）。
＜（Ｃ’）成分：分岐状のアルキル基を有さないアルキルポリグリコシド＞
Ｃ’−１：Ｃ８〜１０直鎖アルキルグルコシド（ＢＡＳＦ社製、商品名：Ｇｌｕｃｏｐｏｎ２１５ＵＰ）。
Ｃ’−２：カプリリルグリコシド（ＬＧ  Ｈｏｕｓｅｈｏｌｄ  ＆  Ｈｅａｌｔｈ  Ｃａｒｅ社製  商品名：Ｍｉｌｃｏｓｉｄｅ  ４３０Ｎ）。
【００４９】
＜（Ｄ）成分＞
Ｄ−１：クメンスルホン酸ナトリウム（テイカ社製、商品名：テイカトックスＮ５０４０）。
Ｄ−２：クメンスルホン酸カリウム（クメンスルホン酸（テイカ社製、商品名：テイカパワー５００）を水酸化カリウムで中和して用いた）。
Ｄ−３：ｐ−トルエンスルホン酸ナトリウム（関東化学社製、試薬１級）。
Ｄ−４：ベンゼンスルホン酸ナトリウム（関東化学社製）。
【００５０】
＜任意成分＞
ｐＨ調整剤：１Ｎ水酸化ナトリウム（鶴見曹達社製）、または１Ｎ硫酸（関東化学社製）。
アミラーゼ：ノボザイムスジャパン社製、商品名：ターマミルウルトラ３００Ｌ。
プロテアーゼ：ノボザイムスジャパン社製、商品名：サビナーゼ１６ＸＬ。
クエン酸Ｎａ：クエン酸ナトリウム、扶桑化学社製。
水：イオン交換水。
【００５１】
［合成例１］
ステアリン酸メチルエステル（ライオンスペシャリティケミカルズ社製「パステルＭ−１８」）１ｋｇ（３．３ｍｏｌ）を、容量３Ｌの反応器に入れ、無水硫酸（日曹金属化学（株）社製「日曹サルファン」）３２３ｇ（４ｍｏｌ）を加熱してガス化し、開放系で窒素フローにより流し込むことでスルホン化した。反応温度は８０℃、無水硫酸の供給速度は１０ｇ／分とした。その後、８０℃で３０分間熟成反応を行うことでα−スルホ脂肪酸メチルエステルを得た。
得られたα−スルホ脂肪酸メチルエステルに対してメタノール（関東化学（株）社製）を２０質量％（２９０ｇ）と、純分換算で過酸化水素２質量％（３５質量％Ｈ２Ｏ２（関東化学株式会社製）として８３ｇ）とを添加した後、８０℃で６０分間反応させることによりエステル化と漂白を行った。
得られた漂白酸を水酸化ナトリウム水溶液でｐＨ７．０に調整し、反応溶媒を減圧下で留去した。途中発泡するので、イソプロパノールを加え共沸しながら水を留去した。残渣をエタノール／水＝９／１（体積比）の混合物に６０℃で加温溶解し、不溶物を濾過により除去した。濾液を５℃に冷却して再結晶した後、析出物を濾別、真空乾燥することでα−スルホステアリン酸メチルエステルナトリウムを得た。
【００５２】
［合成例２］
合成例１において、ステアリン酸メチルエステルの代わりに、パルミチン酸メチルエステル（ライオンスペシャリティケミカルズ社製「パステルＭ−１６」）１ｋｇ（３．７ｍｏｌ）を用い、無水硫酸の使用量を３５９ｇ（４．５ｍｏｌ）に変更した以外は、合成例１と同様にして、α−スルホパルミチン酸メチルエステルナトリウムを得た。
【００５３】
［合成例３］
合成例１において、ステアリン酸メチルエステルの代わりに、ミリスチン酸メチル（ライオンスペシャリティケミカルズ社製「パステルＭ−１４」）１ｋｇ（４．１ｍｏｌ）を用い、無水硫酸の使用量を３９８ｇ（５．０ｍｏｌ）に変更した以外は、合成例１と同様に合成して、α−スルホミリスチン酸メチルエステルナトリウムを得た。
【００５４】
［合成例４］
合成例１において、ステアリン酸メチルエステルの代わりに、ラウリン酸メチル（ライオンスペシャリティケミカルズ社製「パステルＭ−１２」）１ｋｇ（４．６ｍｏｌ）を用い、無水硫酸の使用量を４４９ｇ（５．６ｍｏｌ）に変更した以外は、合成例１と同様に合成して、α−スルホラウリン酸メチルエステルナトリウムを得た。
【００５５】
［合成例５］
容量３Ｌの四つ口フラスコ内に、ミリスチン酸メチル（分子量２２８．４）９０７．０ｇ（３．９７ｍｏｌ）と、ジメチルアミノプロピルアミン（ＤＭＡＰＡ、分子量１０２．２）１２１．６ｇ（１．１９ｍｏｌ）とを仕込み、反応容器内を窒素で２回減圧置換した後、１８５℃へ昇温した。１８０℃到達時を反応開始として１．５時間熟成した後、ＤＭＡＰＡ（分子量１０２．２）４０５．７ｇ（３．９７ｍｏｌ）を４時間かけて滴下した。
滴下終了後、７時間熟成を行い、その後、１９５℃まで昇温し、過剰のＤＭＡＰＡを減圧除去（２．４ｋＰａ到達後１時間処理）することで、ミリスチン酸（Ｃ１４）ジメチルアミノプロピルアミド１１８３ｇを得た。
【００５６】
［合成例６］
合成例５におけるミリスチン酸メチルの代わりに、ベヘン酸メチルを用いたほかは合成例５と同様にして、ベヘン酸（Ｃ２２）ジメチルアミノプロピルアミドを得た。
【００５７】
＜実施例、比較例＞
表１〜７に示す組成に従い、以下のようにして各例の洗浄剤（液体状）０．８ｋｇをそれぞれ調製した。表中に配合量が記載されていない成分は、配合されていない。
まず、容量１Ｌビーカー内で、水にクエン酸ナトリウム（任意成分）を溶解して、洗浄剤全体の５０質量％となる量（０．４ｋｇ）のクエン酸ナトリウム水溶液を調製した。クエン酸ナトリウムを配合しない場合は、容量１Ｌビーカー内に、洗浄剤全体の５０質量％に相当する量（０．４ｋｇ）の水を入れた。
別途、容量１Ｌビーカー内で、７５℃に調整した水と、（Ａ）成分、（Ｂ）成分、（Ｃ）成分（または（Ｃ’）成分）、および（Ｄ）成分を混合し、これらの合計量が洗浄剤全体の４０質量％（０．３２ｋｇ）となるように界面活性剤液を調製した。
次いで、前記で調製したクエン酸ナトリウム水溶液（または水）を７５℃に加温し、アジホモミキサー６０００ｒｐｍで撹拌しながら、７５℃に調整した前記界面活性剤液の全量を加え、その後、３０秒間撹拌して混合液を得た。
この混合液を２５℃まで冷却した後、ｐＨ調整剤として１Ｎ水酸化ナトリウムまたは１Ｎ硫酸を用いて洗浄剤のｐＨ（２５℃）が７．０になるように調整した。次いで、酵素（アミラーゼ、プロテアーゼ）を加えて撹拌し、洗浄剤全体が１００質量％（０．８ｋｇ）となるように残りの水を加えて撹拌することにより液体状の洗浄剤を得た。
ｐＨ（２５℃）の値は、２５℃に調整した液体状の洗浄剤を、ガラス電極式ｐＨメーター（ＨＭ−３０Ｇ、東亜ディーケーケー株式会社製）を用いて測定した。
【００５８】
各例の洗浄剤について、下記の方法で、低泡性、低温洗浄における油汚れに対する洗浄力、液の低温安定性を評価した。その結果を表中に示す。
＜評価方法＞
［低泡性］
表に記載した洗浄剤の使用量を、自動食器洗浄機（Ｐａｎａｓｏｎｉｃ社製、機種：ＮＰ４０ＳＸ−２、洗浄工程での使用水量約３Ｌ）に投入し、常温（５℃）の水を用いて標準コースで運転を行った。洗浄開始１分後に運転を止めると同時に扉を開け、１５秒後に庫内の水面上の泡高さ（ｍｍ）をスケールで測定した。泡高さの測定は、任意の３箇所について行い、平均値を求めた。泡高さは自動食器洗浄機の運転適性上１０ｍｍ以下が好ましい。
【００５９】
［油汚れに対する洗浄力（低温コース）］
牛脂／ラード／バター／サラダ油＝３／３／３／１の混合油６ｇとレトルトカレー（ボンカレーゴールド２１辛口）６ｇで汚染したポリプロピレン製弁当箱（縦１１０ｍｍ、横１７０ｍｍ、高さ３５ｍｍ）を自動食器洗い乾燥機（ナショナル（株）製、機種：ＮＰ−４５ＭＤ６Ｓ）に装填し、表に記載した洗浄剤の使用量にて、低温コースで洗浄（洗浄温度３５℃、洗浄時間約４０分）を行った。洗浄後の弁当箱の内側５面、及び外側５面の計１０面の仕上がり具合を下記の基準に基づいて官能評価した。３点以上が好ましい。
（評点の基準）
６点：弁当箱１０面全ての油汚れが完全に落ちている。
５点：弁当箱８〜９面の油汚れが完全に落ちており、かつ残りの面は注意深く観察すると、極めて僅かに付着が認められるが洗いなおす必要のないレベル。
４点：弁当箱６〜７面の油汚れが完全に落ちており、かつ残りの面は注意深く観察すると、極めて僅かに付着が認められるが洗いなおす必要のないレベル。
３点：弁当箱の５面以下の面の油汚れが完全に落ちており、かつ残りの面は注意深く観察すると、極めて僅かに付着が認められるが洗いなおす必要のないレベル。
２点：弁当箱の１面以上に油汚れが薄く残っており、洗い直す必要があるレベル。
１点：弁当箱の１面以上に油がべっとりと残っており、洗い直す必要があるレベル。
【００６０】
［低温安定性］
無色透明のガラス製のサンプル瓶（ＰＳ１１規格瓶）に、各例の洗浄剤５０ｍＬを入れ、蓋を閉めて密封し評価サンプルとした。前記評価サンプルをそれぞれ１０℃、５℃、０℃、−５℃の恒温槽中に静置し１週間保存した。
保存後の液の外観を目視で観察し、固化または析出物の少なくとも一方が生じた場合を変化ありと判定した。下記基準に基づいて洗浄剤の低温安定性を評価した。
（評価基準）
Ａ：保存温度−５℃において変化なし。
Ｂ：保存温度−５℃において変化あり、０℃において変化なし。
Ｃ：保存温度０℃において変化あり、５℃において変化なし。
Ｄ：保存温度５℃において変化あり、１０℃において変化なし。
Ｅ：保存温度１０℃において変化あり。
【００６１】
【表１】
2018184554.tif 000004
【００６２】
【表２】
2018184554.tif 000005
【００６３】
【表３】
2018184554.tif 000006
【００６４】
【表４】
2018184554.tif 000007
【００６５】
【表５】
2018184554.tif 000008
【００６６】
【表６】
2018184554.tif 000009
【００６７】
【表７】
2018184554.tif 000010
【００６８】
表１〜７の結果に示されるように、実施例１〜６４の洗浄剤は、低泡性に優れるとともに、油汚れが多く、洗浄温度が３５℃と低く、かつ油による再汚染が生じやすいポリプロピレン製食器という過酷な条件でも油汚れに対して優れた洗浄力が得られた。また、（Ｃ）成分および（Ｄ）成分の一方または両方を含有させた実施例１〜４、６、７、９、１０、１２〜２５、２７〜６２は、液の低温安定性が良好であった。
（Ａ）成分を含有しない比較例３〜９、（Ｂ）成分／（Ａ）成分の質量比が１０を超える比較例２は、低泡性は良好であるが、低温洗浄における油汚れに対する洗浄力が不充分であった。また、（Ｃ）成分および（Ｄ）成分を含有するにもかかわらず、低温安定性が不充分であった。
（Ｂ）成分／（Ａ）成分の質量比が０．１未満である比較例１は、低温洗浄における油汚れに対する洗浄力は良好であったが、低泡性が不充分であった。
（Ｃ）成分に代えて（Ｃ’）成分を用いた実施例６３、６４は、低泡性および洗浄力は良好であるが、低温安定性が不充分であった。